(57)【特許請求の範囲】
【請求項１】
ハウジング；
前記ハウジングの内部に配置されるホルダー；
前記ホルダーと前記ハウジングとの間に配置されるサーマルパッド；および
前記ハウジングの底に配置されるヒートシンクを含み、
前記ホルダーは、
ホールが形成されたホルダー本体；
前記ホルダー本体の側面に形成された出口；および
前記ホールと前記出口とが連通するように前記ホルダー本体に形成されるチャネルを含み、
前記チャネルは、
円周方向に形成され、一側が前記出口に連結された第１チャネル；
光源モジュールに連結される二つの電線中のいずれか一つを前記第１チャネルに案内するように形成された第２チャネル；および
前記二つの電線中の他の一つを前記第１チャネルに案内するように形成された第３チャネルを含み、
前記ヒートシンクは、
ヒートシンク本体；および
前記ヒートシンク本体の外周面から延びて配置される複数の放熱板を含み、
前記放熱板は、
板状の第１放熱板；および
板状の放熱部と第１曲線放熱部とを含む第２放熱板を含み、
前記第１曲線放熱部は、Ｓ字状で形成され、
前記第１曲線放熱部によって形成された折り曲げ領域の一つは、前記ハウジングの底面に設けられたヒートシンクガイド部材に結合され、前記第１曲線放熱部によって形成された他の折り曲げ領域は、第４締結部材に配置される、照明装置。
【請求項２】
前記サーマルパッドは前記ホルダー本体に形成されたガイドリブによって既設定された位置に配置され、前記ガイドリブは前記ハウジングに形成されたガイドリブ結合孔に結合する、請求項１に記載の照明装置。
【請求項３】
前記光源モジュールとの接触の有無により前記サーマルパッドは接触領域と非接触領域とに区分され、前記非接触領域は前記ホルダーと離隔するように配置される、請求項１に記載の照明装置。 
【請求項４】
前記ハウジングの一側に配置されるワイヤブッシュをさらに含み、
前記ワイヤブッシュは、
ワイヤ貫通孔が形成されたワイヤブッシュ本体；および
ワイヤガイド孔が形成されるように前記ワイヤブッシュ本体の一側に配置されるワイヤガイド部材を含み、
前記電線は前記ワイヤガイド孔を通って前記ワイヤ貫通孔を貫通して配置される、請求項１に記載の照明装置。
【請求項５】
前記放熱板は所定の曲率にしたがって折り曲げられた第２曲線放熱部を含む第３放熱板をさらに含む、請求項１に記載の照明装置。
【請求項６】
同一の曲率上に二つの前記第２曲線放熱部を配置して形成されたワークスペースを含む、請求項５に記載の照明装置。
【請求項７】
前記放熱板の終端に所定の曲率で形成された第４放熱板をさらに含む、請求項６に記載の照明装置。
【請求項８】
前記ハウジングは、
一側に開口が形成されたハウジング本体；および
前記ハウジング本体の外周面に形成された複数のセレーションを含み、
前記セレーションは、
前記ハウジング本体の一側の角から他側の角まで突出するように形成された第１セレーション；および
前記ハウジング本体の一側の角または他側の角から既設定された長さで突出するように形成された第２セレーションを含む、請求項１に記載の照明装置。
【請求項９】
前記ハウジング本体の前記開口側終端に形成されたフランジ部をさらに含み、
前記フランジ部は、
フランジ本体；および
前記フランジ本体に形成された複数のマウンティングホールおよび複数のトリムホールを含み、
前記トリムホール周辺には凹むようにトリム段差溝が形成される、請求項８に記載の照明装置。
【請求項１０】
前記ハウジングは、
前記ハウジング本体の内周面に互いに離れて内側に突出するように形成される第１ガイド部材と第２ガイド部材；および
前記第１ガイド部材と前記第２ガイド部材との間に形成された結合空間を含むガイド部をさらに含み、
前記ホルダーの側面に突出するように形成されたガイド突起は前記結合空間によって案内される、請求項９に記載の照明装置。
【請求項１１】
前記結合空間は一側は幅が広く、他側は狭い形状で形成される、請求項１０に記載の照明装置。
【請求項１２】
複数の前記第２セレーションは前記ハウジングの一側の角に沿って配置される、 請求項８に記載の照明装置。
【発明の詳細な説明】
【技術分野】
【０００１】
本発明はホルダーおよびこれを具備する照明装置に関するものである。
【背景技術】
【０００２】
一般に、半導体発光ダイオード(LED：Light Emitting Diode)は出力および効率や信頼性の側面で光源として有益な長所があるので、ディスプレイ装置のバックライトだけでなく多様な照明装置のための高出力、高効率光源として積極的に研究開発されている。
【０００３】
このようなLED照明用光源として用いるためには所望の高レベルの出力を提供しながらも光効率を高め、製造費用を低減する必要がある。
【０００４】
したがって、LED照明用光源は高効率、高信頼性が必要となり、熱的、光学的信頼性だけでなく電気的特性をも発揮しなければならず、前記光源に電流が伝達できる構造を有するようになる。
【０００５】
すなわち、前記LED照明用光源は電流の伝達ができるように電源と電気的に連結される。したがって、電線(wire)または、リードなどが利用されることがあるが、複雑な構造となってしまい、組み立ておよび整列が困難である。
【０００６】
特に、電線を利用して電源を供給する場合、構造上、電線の整列が困難であるという問題が発生する。
【発明の概要】
【発明が解決しようとする課題】
【０００７】
本発明の目的は、光源モジュールに電気的に連結された電線を整列しながらも、リフレクターを支持するホルダーおよびこれを具備する照明装置を提供することにある。
【０００８】
本発明が解決しようとする課題は、前述した課題に限定されず、ここで言及されていない他の課題は以下の記載から当業者に明確に理解されよう。
【課題を解決するための手段】
【０００９】
前記課題は、本発明の一実施形態にしたがって、ホールが形成されたホルダー本体;前記ホルダー本体の側面に形成された出口;および前記ホールと前記出口とが連通するように前記ホルダー本体に形成されるチャネル;を含み、前記チャネルは、円周方向に形成され、一側が前記出口に連結された第１チャネル;光源モジュールに連結される二つの電線中のいずれか一つを前記第１チャネルに案内するように形成された第２チャネル;および二つの電線中の他の一つを前記第１チャネルに案内するように形成された第３チャネルを含むホルダーによって達成される。
【００１０】
前記第１チャネルと前記第２チャネルまたは、前記第１チャネルと前記第３チャネルが会う角はR面取りされ得る。
【００１１】
そして、前記チャネルは開口が形成された溝(groove)の形状で形成され得る。
【００１２】
また、前記チャネルの前記開口側に突出するように形成された離脱防止突起をさらに含むことができる。
【００１３】
ここで、前記ホルダー本体は、前記ホールの周りに配置される傾斜面;および前記傾斜面に沿って延びて突出するように形成された支持部を含むことができる。
【００１４】
また、前記光源モジュールに形成されたホルダー結合孔は前記ホルダー本体に形成された結合部と結合することができる。
【００１５】
前記課題は本発明の一実施形態にしたがって、ハウジング;前記ハウジングの内部に配置されるホルダー;前記ホルダーとハウジングとの間に配置されるサーマルパッドを含み、前記ホルダーは、ホールが形成されたホルダー本体;前記ホルダー本体の側面に形成された出口;および前記ホールと前記出口とが連通するように前記ホルダー本体に形成されるチャネル;を含み、前記チャネルは、円周方向に形成され、一側が前記出口に連結された第１チャネル;光源モジュールに連結される二つの電線中のいずれか一つを前記第１チャネルに案内するように形成された第２チャネル;および二つの電線中の他の一つを前記第１チャネルに案内するように形成された第３チャネルを含む照明装置によって達成される。
【００１６】
前記サーマルパッドは前記ホルダー本体に形成されたガイドリブによって既設定された位置に配置され、前記ガイドリブは前記ハウジングに形成されたガイドリブ結合孔に結合することができる。
【００１７】
前記光源モジュールとの接触の有無により、前記サーマルパッドは接触領域と非接触領域とに区分され、前記非接触領域は前記ホルダーと離隔して配置され得る。
【００１８】
また、前記ハウジングの一側に配置されるワイヤブッシュをさらに含み、前記ワイヤブッシュは、ワイヤ貫通孔が形成されたワイヤブッシュ本体;およびワイヤガイド孔が形成されるように前記ワイヤブッシュ本体の一側に配置されるワイヤガイド部材を含み、前記電線は前記ワイヤガイド孔を通って前記ワイヤ貫通孔を貫き配置され得る。
【００１９】
一方、前記照明装置はハウジングの一側に配置されるヒートシンクをさらに含むことができる。
【００２０】
前記ヒートシンクはヒートシンク本体;および前記ヒートシンク本体の外周面から延びて配置される複数の放熱板;を含み、前記放熱板は、板状の第１放熱板;および板状の放熱部と第１曲線放熱部を含む第２放熱板;を含み、前記第１曲線放熱部は一方向と他方向とにそれぞれ折り曲げられた形状で形成され得る。
【００２１】
また、前記放熱板は所定の曲率にしたがって折り曲げられた第２曲線放熱部を含む第３放熱板をさらに含むことができる。
【００２２】
そして、前記ヒートシンクは同一の曲率上に二つの前記第２曲線放熱部を配置して形成されたワークスペースを含むことができる。
【００２３】
また、前記ヒートシンクは前記放熱板の終端に所定の曲率で形成された第４放熱板をさらに含むことができる。
【００２４】
前記課題は本発明の一実施形態にしたがって、ハウジング;前記ハウジングの内部に配置されるホルダー;前記ホルダーとハウジングとの間に配置されるサーマルパッドを含み、前記ホルダーは、ホールが形成されたホルダー本体;前記ホルダー本体の側面に形成された出口;および前記ホールと前記出口とが連通するように前記ホルダー本体に形成されるチャネル;を含み、前記ハウジングは、一側に開口が形成されたハウジング本体;および前記ハウジング本体の外周面に形成された複数のセレーションを含み、前記セレーションは、前記ハウジング本体の一側の角から他側の角まで突出するように形成された第１セレーション;および前記ハウジング本体の一側の角または、他側の角から既設定された長さで突出するように形成された第２セレーションを含む照明装置によって達成される。
【００２５】
また、前記ハウジング本体の前記開口側終端に形成されたフランジ部をさらに含み、前記フランジ部は、フランジ本体;前記フランジ本体に形成された複数のマウンティングホールおよびトリムホールを含み、前記トリムホール周辺には凹むようにトリム段差溝が形成され得る。
【００２６】
また、前記ハウジングは、前記ハウジング本体の内周面に互いに離れて内側に突出するように形成される第１ガイド部材と第２ガイド部材;および前記第１ガイド部材と前記第２ガイド部材との間に形成された結合空間を含むガイド部をさらに含み、前記ホルダーの側面に突出するように形成されたガイド突起は前記結合空間によって案内され得る。
【００２７】
ここで、前記結合空間は、一側は幅が広く、他側は幅が狭い形状で形成され得る。
【００２８】
また、複数の前記第２セレーションは前記ハウジングの一側の角に沿って配置され得る。
【００２９】
また、前記チャネルは、円周方向に形成され、一側が前記出口に連結された第１チャネル;光源モジュールに連結される二つの電線中のいずれか一つを前記第１チャネルに案内するように形成された第２チャネル;および二つの電線中の他の一つを前記第１チャネルに案内するように形成された第３チャネルを含むことができる。
【発明の効果】
【００３０】
前記のような構成を有する本発明の一実施形態に係るホルダーおよびこれを具備する照明装置は、内部に配置される電線を整列しながらも放熱性能を向上させることができる。
【００３１】
また、前記照明装置は天井面に設置されてダウンライトによる照明を具現することができる。
【００３２】
また、前記照明装置に設置されるホルダーは傾斜面と支持部とを具備してリフレクターを支持することができる。
【００３３】
また、前記ホルダーは所定の曲率で形成されたチャネルを具備して電線の整列を容易にすることができる。
【図面の簡単な説明】
【００３４】
【図１】本発明の一実施形態に係る照明装置と壁体との結合を示している図面。
【図２】本発明の一実施形態に係る照明装置を示している分解斜視図。
【図３】本発明の一実施形態に係る照明装置を示している結合斜視図。
【図４】図３のL１-L１を示している断面図。
【図５】本発明の一実施形態に係る照明装置の光源モジュールを示している図面。
【図６】本発明の一実施形態に係る照明装置のホルダーを示している図面。
【図７】本発明の一実施形態に係る照明装置のホルダーを示している図面。
【図８】本発明の一実施形態に係る照明装置のホルダーを示している図面。
【図９】本発明の一実施形態に係る照明装置のホルダーを示している図面。
【図１０】本発明の一実施形態に係る照明装置のホルダーと電線の結合関係を示している図面。
【図１１】図１０のL２-L２を示している断面図。
【図１２】本発明の一実施形態に係る照明装置のホルダーと光源モジュールの結合を示している図面。
【図１３】本発明の一実施形態に係る照明装置のホルダー、サーマルパッドおよびハウジングの結合関係を示している図面。
【図１４】本発明の一実施形態に係る照明装置のハウジングを示している斜視図。
【図１５】本発明の一実施形態に係る照明装置のハウジングを示している平面図。
【図１６】本発明の一実施形態に係る照明装置のハウジングを示している左側面図。
【図１７】本発明の一実施形態に係る照明装置のハウジングを示している右側面図。
【図１８】図１４のL３-L３を示している断面図。
【図１９】本発明の一実施形態に係る照明装置のハウジングを示している底面斜視図。
【図２０】図４のB領域を示している図面。
【図２１】本発明の一実施形態に係る照明装置のワイヤブッシュを示している図面。
【図２２】本発明の一実施形態に係る照明装置のワイヤブッシュと電線間の配置関係を示している図面。
【図２３】本発明の一実施形態に係る照明装置のカバーを示している図面。
【図２４】本発明の一実施形態に係る照明装置のヒートシンクを示している斜視図。
【図２５】本発明の一実施形態に係る照明装置のヒートシンクとハウジング間の結合を示している図面。
【図２６】本発明の一実施形態に係る照明装置のヒートシンクとハウジング間の結合を示している図面。
【図２７】本発明の一実施形態に係る照明装置とフレームの結合を示している図面。
【発明を実施するための形態】
【００３５】
本発明は多様な変更を加えることができ、種々の実施形態を有することができるところ、特定実施形態を図面に例示して説明する。しかし、これは本発明を特定の実施形態に限定しようとするものではなく、本発明の思想および技術範囲に含まれるすべての変更、均等物乃至代替物を含むものと理解されるべきである。
【００３６】
第２、第１などのように序数を含む用語は、多様な構成要素の説明に用いることができるが、前記構成要素は前記用語によって限定されるものではない。前記用語は一つの構成要素を他の構成要素から区別する目的でのみ用いられる。例えば、本発明の権利範囲を逸脱せず、第２構成要素は第１構成要素と命名することができ、同様に第１構成要素も第２構成要素と命名することができる。および/またはという用語は、複数の関連された、記載された項目の組合せ、または複数の関連された、記載された項目中のある項目を含む。
【００３７】
ある構成要素が他の構成要素に「連結されて」いる、または「接続されて」いると言及された時には、その他の構成要素に直接的に連結されているかまたは、接続されていることもあり得るが、中間に他の構成要素が存在することもあり得ると理解されるべきである。反面、ある構成要素が他の構成要素に「直接連結されて」いる、または「直接接続されて」いると言及された時には、中間に他の構成要素が存在しないと理解されるべきである。
【００３８】
実施形態の説明において、いずれか一つの構成要素が他の構成要素の「上(うえ)または、下(した)(on or under)」に形成されるものと記載される場合において、上(うえ)または、下(した)(on or under)は二つの構成要素が互いに直接(directly)接触するか一つ以上の他の構成要素が前記両構成要素間に配置されて(indirectly)形成されるものすべてを含む。また「上(うえ)または、下(した)(on or under)」と表現される場合、一つの構成要素を基準に、上方だけでなく下方の意味も含まれ得る。
【００３９】
本出願で用いた用語は、単に特定の実施形態を説明するために用いられたものであり、本発明を限定しようとする意図ではない。単数の表現は文脈上明白に異なる意味で用いられていない限り、複数の表現を含む。本出願で、「含む」または「有する」などの用語は、明細書上に記載された特徴、数字、段階、動作、構成要素、部品または、これらを組み合わせたものが存在することを指定しようとするものであって、一つまたは、それ以上の他の特徴や数字、段階、動作、構成要素、部品または、これらを組み合わせたものの存在または、付加可能性をあらかじめ排除しないものと理解されるべきである。
【００４０】
特に断っていない限り、技術的または科学的な用語を含む、ここで用いられるすべての用語は、本発明が属する技術分野で通常の知識を有した者によって一般的に理解されるものと同じ意味を有する。一般的に用いられる、辞書に定義されているような用語は、関連技術の文脈上に有する意味と一致する意味を有すると解釈されるべきであり、本出願で明白に定義しない限り、理想的または過度に形式的な意味に解釈されない。
【００４１】
以下、添付された図面を参照して実施形態を詳細に説明するが、図面符号に関わらず同一または対応する構成要素は同じ参照番号を付与し、これによる重複する説明は省略する。
【００４２】
ダウンライト(Down light;埋込灯)は天井にホールを形成し、前記ホールの中に光源を埋め込む照明方式であって、照明と建物を一体化させる建築照明技法の一つである。
【００４３】
このような埋込灯は、天井に埋め込まれる構造であって、照明器具の露出が殆どないため天井面が整って見える長所がある。さらに、埋込灯を利用する照明方式は天井面が暗くなる特徴があって、雰囲気のある室内空間の演出に適合した方式といえる。ここで、前記埋込灯は壁体(図示されず)にも設置することができる。
【００４４】
図１を参照すると、本発明の一実施形態に係る照明装置１は天井面２に設置されてダウンライトによる照明を具現することができる。
【００４５】
そして、図１に示された通り、前記照明装置１にトリム３を設置して天井面２との段差が形成されないように仕上げることができる。
【００４６】
図２〜２２を参照すると、前記照明装置１は光源モジュール１００、ホルダー２００、リフレクター３００、ハウジング４００、サーマルパッド５００、ワイヤブッシュ６００、カバー７００およびヒートシンク８００を含むことができる。
【００４７】
ここで、ハウジング４００は内部に収容空間(S)が設けられ、一側に収容空間(S)と連通するように開口が形成され得る。
【００４８】
そして、光源モジュール１００、ホルダー２００、リフレクター３００およびサーマルパッド５００はハウジング４００の収容空間(S)に配置され得る。また、ワイヤブッシュ６００は、図２および図４に示された通り、ハウジング４００の一側に配置され得る。
【００４９】
図２および図３に示された通り、ヒートシンク８００はハウジング４００に接触するように設置され得る。
【００５０】
図５を参照すると、光源モジュール１００は光源１１０および光源１１０が配置される基板１２０を含むことができる。
【００５１】
ここで、光源モジュール１００としては、基板１２０上にパッケージしないLEDチップ１１０を直接ボンディングできるCOB(Chips On Board)タイプを使うことができるが、これに限定されず、LEDチップ１１０がパッケージされたLEDパッケージを光源モジュール１００として使うこともできる。
【００５２】
図５に示された通り、電線(W、Wire)は光源モジュール１００の中心を基準として相互対称となるように光源モジュール１００に連結されることもある。
【００５３】
電線(W)を通じて電源が供給されるが、二つの電線(W)のそれぞれを通じて供給される電源の誤認を防止するために基板１２０には陽極と陰極とが区分できる表示１２１が刻印されることもある。
【００５４】
また、二つの電線(W)は色を別にして区分することもできる。したがって、陽極と陰極とが区分できる表示１２１と電線(W)の色をマッチング(matching)させて、使用者の誤認を防止することができる。
【００５５】
ここで、光源１１０、基板１２０および電線(W)は電気的に連結される。
【００５６】
基板１２０には、図５に示された通り、ホルダー結合孔１２２が形成され得る。
【００５７】
ホルダー結合孔１２２はホルダー２００に含まれた突起状の結合部２９０と結合して光源モジュール１００がホルダー２００の既設定された位置に配置されるようにする。本発明の一実施形態において、ホルダー結合孔１２２が基板１２０に形成されたものをその例として挙げているが、必ずしもこれに限定されるものではなく、基板１２０に突起が形成され、ホルダー２００に前記突起が結合する孔が形成されることもある。
【００５８】
図６〜図１０を参照すると、ホルダー２００はホルダー本体２１０、ホール２２０、傾斜面２３０、支持部２４０、出口２５０、チャネル２６０および離脱防止突起２７０、２７０aを含むことができる。そして、図２に示されたホルダー締結部材１０によってホルダー２００はハウジング４００に固定され得る。
【００５９】
ここで、ホルダー２００はプラスチック、ポリプロピレン(PP)、ポリエチレン(PE)または、耐熱性、衝撃強度特性がポリカーボネート(PC)などの材質で形成され得る。
【００６０】
ホルダー本体２１０は、図６および図７に示された通り、所定の厚さを有する円盤状に形成することもできるがこれに限定されず、所定の厚さを有する楕円または、多角形の形状に形成することもできる。
【００６１】
そして、ホルダー本体２１０の中央には光源モジュール１００から照射された光が露出するようにホール２２０が形成され得る。
【００６２】
すなわち、ホール２２０は、ホルダー２００に配置される光源モジュール１００の光源１１０から照射される光の露出を可能にし、前記光の方向性を提示する。
【００６３】
ホール２２０は、図６に示された通り、光源モジュール１００がホルダー本体２１０に設置される方向に傾斜して形成された傾斜面２３０によって形成され得る。
【００６４】
ホルダー２００にリフレクター３００を配置する時、傾斜面２３０はリフレクター３００を支持することができる。
【００６５】
また、ホルダー本体２１０には傾斜面２３０に沿って延在して突出するように支持部２４０が形成され得る。例えば、リフレクター３００を支持するための支持力を向上させるために、ホルダー本体２１０に形成された傾斜面２３０の他にホルダー本体２１０に支持部２４０がさらに形成されてリフレクター３００を支持することができる。
【００６６】
図６に示された通り、支持部２４０はリフレクター３００の一側を支持する複数の傾斜フレーム２４１と傾斜フレーム２４１の支持力を確保するための円周フレーム２４２とを含むことができる。
【００６７】
そして、支持部２４０はリフレクター３００に対する均等な支持のために、ホルダー２００の中心(C)を基準として相互対称となるように配置され得るが、これに限定されず、一側にのみ配置されることもある。
【００６８】
それにより、リフレクター３００は傾斜面２３０および支持部２４０によって支持されるようにホルダー２００に配置され得る。
【００６９】
出口２５０はホルダー本体２１０の側面に形成され得る。
【００７０】
図１０に示された通り、ホルダー本体２１０の中央側に配置された光源モジュール１００に連結された二つの電線(W)は、出口２５０を介してホルダー２００の外部に露出するように案内され得る。
【００７１】
チャネル２６０は光源モジュール１００に連結された電線(W)が出口２５０に案内されるように形成される。
【００７２】
前記ホルダー２００において、ホルダー本体２１０を基準として支持部２４０が配置される方向をホルダー２００の上部とし、支持部２４０が配置される方向の反対側を下部とした時、電線(W)の位置を考慮してチャネル２６０はホルダー２００の下部に形成され得る。本発明の説明において、上部と下部とに区分して説明するが、必ずしもこれに限定されるものではない。
【００７３】
チャネル２６０は光源モジュール１００の設置方向の反対方向に開口が形成された溝(groove)の形状で形成され得る。すなわち、チャネル２６０はホルダー２００の下部側にホール２２０と出口２５０とが連通するように形成された溝の形状で形成され得る。
【００７４】
それにより、チャネル２６０は二つの側面２６１と一つの水平面２６２とによって形成され得る。
【００７５】
図９を参照すると、チャネル２６０は三つの領域に区分され得る。
【００７６】
すなわち、チャネル２６０は、円周方向に形成され、一側が前記出口に連結された第１チャネル２６３;光源モジュール１００が配置されるホール２２０の中心を基準として相互対称となるように光源モジュール１００に連結される二つの電線(W)中のいずれか一つを前記第１チャネル２６３に案内するように形成された第２チャネル２６４;および二つの電線(W)中の他の一つを前記第１チャネル２６３に案内するように形成された第３チャネル２６５を含むことができる。
【００７７】
第１チャネル２６３は、図９および図１０に示された通り、ホルダー本体２１０の縁に沿って円周方向に形成され得る。
【００７８】
したがって、縁に沿って形成されながらも円周方向に沿って所定の曲率で形成された第１チャネル２６３は電線(W)が折れるか屈曲しないように配置されるようにする。
【００７９】
例えば、直線でホール２２０と出口２５０とを繋ぐチャネル２６０を形成して電線(W)をホルダー２００の外部に露出させることもできるが、出口２５０を電線(W)の数に合わせて作らなければならないという問題がある。したがって、出口を形成する別途の工程により生産性が減少され得、少なくとも二つの出口２５０が形成されるので電線(W)の整列に困難がある。
【００８０】
第２チャネル２６４と第３チャネル２６５のそれぞれはホール２２０と第１チャネル２６３をつなぐように形成される。
【００８１】
この時、第１チャネル２６３と第２チャネル２６４または、第１チャネル２６３と第３チャネル２６５とが会う角２６６はR面取りされ得る。したがって、電線(W)の緊張時、角２６６による電線(W)の損傷が防止される。
【００８２】
一方、チャネル２６０の水平面２６２上には、図９に示された通り、電線(W)との連結誤認を防止するために、電線(W)の配置が区分できるレタリングのような表示２６７が刻印されることができる。
【００８３】
離脱防止突起２７０、２７０aはチャネル２６０に沿って複数配置され得る。より詳細には、離脱防止突起２７０、２７０aはチャネル２６０の前記開口側に突出するように形成され得る。
【００８４】
したがって、離脱防止突起２７０、２７０aは、図１０および図１１に示された通り、電線(W)が前記開口を通じて離脱されるのを防止する。
【００８５】
すなわち、離脱防止突起２７０は、図１１の(a)に示された通り、チャネル２６０の水平面２６２と平行して形成されることによって電線(W)がチャネル２６０の開口を通じて離脱されるのを防止する。
【００８６】
図１１の(b)に示された通り、離脱防止突起２７０の終端には水平面２６２に向かって突出するように突起２７１をさらに形成することもできる。
【００８７】
図１１の(c)に示された通り、離脱防止突起２７０aは、水平面２６２に向かって傾斜して設けられることによって電線(W)が前記開口を通じて離脱されるのを防止する。
【００８８】
特に、離脱防止突起２７０aは水平面２６２に向かって傾斜して形成されるので電線(W)の配置が容易である。また、天井面２に前記照明装置１を設置する時、離脱防止突起２７０aは重力によって電線(W)がチャネル２６０の開口を通じて離脱されるのを防止する。
【００８９】
一方、ホルダー２００はホルダー本体２１０の側面に形成されたガイド突起２８０をさらに含むことができる。
【００９０】
ガイド突起２８０はハウジング４００の既設定された位置にホルダー２００が配置されるようにハウジング４００のガイド部４３０によって案内される。
【００９１】
また、ホルダー２００は、図９に示された通り、ホルダー結合孔１２２に結合する結合部２９０をさらに含むことができる。
【００９２】
結合部２９０は、光源モジュール１００がホルダー２００の既設定された位置に配置されるようにホルダー結合孔１２２と結合する。そして、ホルダー結合孔１２２と結合した結合部２９０は光源モジュール１００が水平方向に流動することを防止する。ここで、ホルダー結合孔１２２と結合部２９０とは嵌合方式で結合することができる。
【００９３】
結合部２９０には結合部２９０の長さ方向の軸中心を基準として湾曲するように切開された切開溝２９１を設けることができる。ここで、切開溝２９１は結合部２９０の終端に形成され得る。したがって、光源モジュール１００をホルダー２００から解体する時、使用者は別途の工具などを利用して切開溝２９１を通じて光源モジュール１００の解体を容易に行うことができる。
【００９４】
また、ホルダー２００は、図１３に示された通り、サーマルパッド(Thermal pad、５００)がホルダー２００の既設定された位置に配置されるように設けられたガイドリブ２９２をさらに含むことができる。
【００９５】
ガイドリブ２９２はホルダー本体２１０の下部から突出するように形成される。
【００９６】
ガイドリブ２９２はハウジング３００に形成されたガイドリブ結合溝４１０と結合する。したがって、ガイドリブ２９２はガイド突起２８０とともにハウジング４００の既設定された位置にホルダー２００が配置されるように案内する。
【００９７】
すなわち、ガイドリブ２９２はサーマルパッド５００の配置を案内し、ハウジング４００の既設定された位置にホルダー２００が設置されるように案内する役割を遂行することができる。
【００９８】
図１４〜図１９を参照すると、ハウジング４００は、ガイドリブ結合溝４１０を具備するハウジング本体４２０、ガイド部４３０、ワイヤブッシュ結合孔４４０、フランジ部４５０およびセレーション４６０を含むことができる。
【００９９】
ハウジング本体４２０にはホルダー２００、リフレクター３００およびサーマルパッド５００を配置することができるように内部に収容空間(S)が設けられる。
【０１００】
前記ハウジング本体４２０は、図１４に示された通り、円筒形の形状に形成されたものをその例として挙げているが、必ずしもこれに限定されるものではなく、三角筒、四角筒などの多様な形状で形成することもできる。
【０１０１】
図１４および図１８を参照すると、ガイド部４３０はハウジング本体４２０の内部の側面に配置され得る。ガイド部４３０は第１ガイド部材４３１と第２ガイド部材４３２とを含むことができる。
【０１０２】
第１ガイド部材４３１と第２ガイド部材４３２のそれぞれはハウジング本体４２０の内側面に突出するように形成され得る。そして、第１ガイド部材４３１と第２ガイド部材４３２のそれぞれは、図１８に示された通り、ハウジング本体４２０の下部側の角から上部側の角まで長く形成され得る。
【０１０３】
そして、第１ガイド部材４３１と第２ガイド部材４３２との間に形成された結合空間４３３を通じてホルダー２００のガイド突起２８０は案内される。
【０１０４】
ここで、結合空間４３３は、ハウジング本体４２０の中心から内側面を見る時、上方は広く下方は狭い形状で形成され得る。それにより、ハウジング本体４２０の上部側の間の空間(A１)は下部側の間の空間(A２)より広く形成される。
【０１０５】
ここで、下部側の間の空間(A２)はガイド突起２８０の幅と同一に形成され得る。例えば、ハウジング本体４２０の下部側結合空間４３３の幅はガイド突起２８０の幅と同一であり得る。
【０１０６】
したがって、ガイド突起２８０はガイド部４３０に案内された後、下部側の間の空間(A２)に嵌合方式で結合することができる。
【０１０７】
また、下部側の間の空間(A２)は上部側の間の空間(A１)より狭く、前記ガイド突起２８０の幅より広く形成することもでき、これに限定されない。
【０１０８】
ワイヤブッシュ結合孔４４０は、図１４に示された通り、ハウジング本体４２０の側面に形成され、ワイヤブッシュ６００が結合される。
【０１０９】
フランジ部４５０は、図１４および図１６に示された通り、ハウジング本体４２０の開口側終端から外側に突出するように形成され得る。例えば、フランジ部４５０はトリム３との結合のためにフランジ(flange)のような形状で形成され得る。
【０１１０】
ここで、ハウジング本体４２０とフランジ部４５０とは熱伝導を通した内部の熱を放出するために一体に形成され得る。そして、ハウジング本体４２０とフランジ部４５０とは剛性を確保することができながらも熱伝導度が良い材質で形成され得る。例えば、ハウジング本体４２０とフランジ部４５０とはアルミニウム合金のような金属材質で形成され得るが、これに限定されない。
【０１１１】
フランジ部４５０は所定の厚さを有するフランジ本体４５１、マウンティングホール４５２およびトリムホール４５３を含むことができる。
【０１１２】
フランジ本体４５１は、図１４に示された通り、環状で形成され得るが、これに限定されない。
【０１１３】
マウンティングホール４５２およびトリムホール４５３のそれぞれはフランジ本体４５１を貫通するように形成される。
【０１１４】
図１に示された通り、第１締結部材２０はマウンティングホール４５２を貫通して天井面２に結合する。それにより、前記照明装置１は天井面２に固定される。ここで、第１締結部材２０はヘッドを有するボルトまたは、ねじであり得る。
【０１１５】
図１４に示された通り、マウンティングホール４５２の周辺にはマウンティング段差溝４５４がさらに形成され得る。
【０１１６】
マウンティング段差溝４５４はフランジ本体４５１の上部側の面に凹むように形成された溝であり、マウンティング段差溝４５４の一領域にマウンティングホール４５２が形成され得る。それにより、第１締結部材２０のマウンティングホール４５２の締結時に、第１締結部材２０のヘッドはマウンティング段差溝４５４に位置してトリム３との結合を妨げない。
【０１１７】
そして、図１に示された通り、第２締結部材３０はトリム３を貫通してトリムホール４５３と結合する。
【０１１８】
特に、図１４に示された通り、トリムホール４５３の周辺にはトリム段差溝４５５がさらに形成され得る。
【０１１９】
トリム段差溝４５５はフランジ本体４５１の上部側の面に凹むように形成された溝であり、トリム段差溝４５５の一領域にトリムホール４５３が形成され得る。それにより、第２締結部材３０のトリムホール４５３の締結時に、トリム段差溝４５５はトリム３との強い決着力を有するようにする。
【０１２０】
すなわち、トリム段差溝４５５によってトリム３とフランジ本体４５１の間には空間が形成される。そして、第２締結部材３０のトリムホール４５３の締結時に、前記空間によってトリム３とフランジ本体４５１はさらに強い決着力を有するように、第２締結部材３０によって加圧され得る。
【０１２１】
セレーション４６０はハウジング本体４２０の外部側の側面に形成され得る。例えば、セレーション４６０はハウジング本体４２０の外周面に形成され得る。
【０１２２】
ここで、セレーション４６０はハウジング本体４２０の表面積を増加させて放熱効果を増大させる。したがって、セレーション４６０はハウジング本体４２０のように金属材質で形成され得る。そして、セレーション４６０はハウジング本体４２０と一体に形成され得るが、これに限定されず、別体で構成してハウジング本体４２０に配置することもできる。
【０１２３】
セレーション４６０は複数の第１セレーション４６１と複数の第２セレーション４６２とを含むことができる。
【０１２４】
第１セレーション４６１はハウジング本体４２０の下部側角から上部側角まで長く突出するように形成され得る。
【０１２５】
第２セレーション４６２は上部側角または、下部側角から所定の長さで長く突出するように形成され得る。
【０１２６】
そして、第１セレーション４６１のそれぞれは所定の間隔で離隔するように形成され得る。また、第２セレーション４６２のそれぞれは所定の間隔で離隔するように形成され得る。
【０１２７】
セレーション４６０はハウジング本体４２０の外周面の少なくとも一側面に形成され得る。例えば、第１セレーション４６１のみ形成したり、第２セレーション４６２だけ形成することができ、第１セレーション４６１と第２セレーション４６２とを交互に形成することもでき、これに限定されない。
【０１２８】
図１７に示された通り、複数の第２セレーション４６２がハウジング本体４２０の外周面に形成されるにつれて、ハウジング本体４２０の外側面には第２セレーション４６２が形成されない所定のラベル付着領域４７０が形成され得る。
【０１２９】
そして、ラベル付着領域４７０には製品の性能、製造国、製品ナンバーなどが記載されたラベルを付着することができる。
【０１３０】
一方、ハウジング４００はハウジング４００と結合するカバー７００が固定できるように形成されたカバー結合孔４８０を含むことができる。図２に示された通り、第３締結部材４０はカバー結合孔４８０を貫通してカバー７００の一側と結合する。
【０１３１】
図１９および図２５を参照すると、ハウジング４００は下部面に形成されたヒートシンクガイド部材４９０とヒートシンク締結溝４９１とを含むことができる。
【０１３２】
ヒートシンクガイド部材４９０はハウジング４００の既設定された位置にヒートシンク８００が配置されるようにヒートシンク８００を案内する。図２５に示された通り、ヒートシンクガイド部材４９０により案内されたヒートシンク８００は第４締結部材５０によってハウジング４００に固定される。すなわち、第４締結部材５０の終端はヒートシンク締結溝４９１と締結されてヒートシンク８００をハウジング４００に固定させる。ここで、第４締結部材５０としては、ヘッドを有するボルトやねじを利用することができ、これに限定されない。
【０１３３】
サーマルパッド５００は、図１３に示された通り、光源モジュール１００の一面を覆うようにホルダー２００とハウジング４００との間に配置されて光源モジュール１００で発生する熱をハウジング４００へ伝達する。ここで、サーマルパッド５００は光源モジュール１００の面積より広い面積で形成することもでき、これに限定されない。
【０１３４】
図２０を参照すると、サーマルパッド５００は光源モジュール１００の一面と接触する接触領域(A３)と光源モジュール１００の一面と接触しない非接触領域(A４)とに区分され得る。
【０１３５】
光源モジュール１００が配置されたホルダー２００にサーマルパッド５００が配置される場合、非接触領域(A４)はホルダー２００と離隔するように配置され得る。
【０１３６】
したがって、サーマルパッド５００の非接触領域(A４)がホルダー２００と離隔するように配置されるにつれて、離隔空間(S１)が形成される。そして、光源モジュール１００で発生してサーマルパッド５００に伝達された熱は離隔空間(S１)を通じて外部に放熱される。
【０１３７】
したがって、離隔空間(S１)はサーマルパッド５００を通じて移動した熱の放熱性能を向上させる。
【０１３８】
ワイヤブッシュ６００はホルダー２００の出口２５０から露出された電線(W)をハウジング４００の外部に案内する。
【０１３９】
図２１および図２２を参照すると、ワイヤブッシュ６００はワイヤブッシュ本体６１０とワイヤガイド部材６２０とを含むことができる。
【０１４０】
ワイヤブッシュ本体６１０は電線(W)が貫通して配置されるように形成されたワイヤ貫通孔６１１を含むことができる。ここで、ワイヤ貫通孔６１１はワイヤブッシュ本体６１０の内部にワイヤブッシュ本体６１０の挿入方向に形成され得る。
【０１４１】
ワイヤガイド部材６２０はワイヤブッシュ本体６１０の終端でワイヤブッシュ本体６１０の挿入方向に突出するように形成され得る。そして、ワイヤガイド部材６２０の内部にはワイヤガイド孔６２１が形成され得る。
【０１４２】
図２１に示された通り、出口２５０から露出された電線(W)はワイヤガイド孔６２１を通ってワイヤ貫通孔６１１を貫通して配置される。
【０１４３】
電線(W)とワイヤブッシュ６００の設置関係に対して詳察すると、出口２５０から露出された電線(W)はワイヤブッシュ結合孔４４０を通じてハウジング４００の外部に露出された後、ワイヤガイド孔６２１を通ってワイヤ貫通孔６１１を貫通して設置される。そして、ワイヤブッシュ６００をワイヤブッシュ結合孔４４０に結合する。
【０１４４】
したがって、ハウジング４００にワイヤブッシュ６００を結合してもワイヤブッシュ６００により電線(W)が押されて屈曲されることを防止することができる。
【０１４５】
図２２に示された通り、ワイヤ貫通孔６１１から延びた仮想の領域(X１)とワイヤガイド孔６２１から延びた仮想の領域(X２)とが、互いに交差するように、ワイヤ貫通孔６１１とワイヤガイド孔６２１とは配置され得る。
【０１４６】
それにより、ワイヤブッシュ６００に電線(W)を設置する時、電線(W)は前記X１と前記X２が交差する領域を通るように配置されるので、電線(W)がワイヤブッシュ６００に押されて屈曲することを防止することができる。
【０１４７】
カバー７００はハウジング４００の開口を覆うように配置され、光源モジュール１００から照射される光を拡散させることができる。
【０１４８】
カバー７００の材質としては、ガラス、プラスチック、ポリプロピレン、ポリエチレン、ポリカーボネートなどを使用することができる。
【０１４９】
図２３を参照すると、カバー７００はカバー本体７１０とカバーレッグ７２０とを含むことができる。
【０１５０】
カバー本体７１０はハウジング４００の開口を覆うように配置される。したがって、カバー本体７１０は異物がハウジング４００内部に流入することを防止しながらも光源モジュール１００から照射される光が外部に照射されるようにする。
【０１５１】
カバー本体７１０の材質はガラス、プラスチック、ポリプロピレン、ポリエチレン、ポリカーボネートなどであり得るが、これに限定されしない。
【０１５２】
カバー本体７１０は、図２２に示された通り、円板状に形成され得る。ただし、ハウジング４００の開口の形状によりカバー本体７１０の形状も異なり得る。
【０１５３】
カバーレッグ７２０はカバー本体７１０から突出するように形成され得る。そして、カバーレッグ７２０は第３締結部材４０と結合することができるように形成されたカバー締結孔７２１を含むことができる。
【０１５４】
したがって、第３締結部材４０はカバー結合孔４８０を貫通してカバー締結孔７２１と結合してカバー７００をハウジング４００に固定させる。
【０１５５】
ここで、カバーレッグ７２０は少なくとも二つ形成され得るが、これに限定されず、三つ以上を形成することもできる。
【０１５６】
図２４〜図２６を参照すると、ヒートシンク８００はハウジング４００の放熱を助けるようにハウジング４００の一側に配置される。例えば、ヒートシンク８００は設置構造上ハウジング４００の下部側に配置され得る。
【０１５７】
図２４を参照すると、ヒートシンク８００はヒートシンク本体８１０と放熱板８２０を含むことができる。ここで、放熱板８２０は第１放熱板８２１、第２放熱板８２２および第３放熱板８２３を含むことができる。そして、ヒートシンク８００は第４放熱板８３０をさらに含むことができる。
【０１５８】
ヒートシンク本体８１０は円柱形状に形成され得るが、これに限定されず、断面が円形、楕円形または、多角形となるように形成され得る。また、上部の面積が下部の面積と異なる円錐台状にも形成され得る。そして、ヒートシンク本体８１０の一側はハウジング４００に接触するように配置され得る。
【０１５９】
放熱板８２０は、図２６に示された通り、ヒートシンク本体８１０の外周面８１１から延びて突出するように形成され得る。
【０１６０】
放熱板８２０は第１放熱板８２１、第２放熱板８２２および第３放熱板８２３を含むことができる。
【０１６１】
図２４および図２６を参照すると、第１放熱板８２１はヒートシンク本体８１０で半径方向に突出するように形成され得る。ここで、第１放熱板８２１は板状で形成され得る。
【０１６２】
第２放熱板８２２は板状の放熱部８２２aと第１曲線放熱部８２２bとを含むことができる。
【０１６３】
図２４に示された通り、第１曲線放熱部８２２bは、ヒートシンク本体８１０の円周方向を基準として、一方向と他方向にそれぞれ折り曲げられた形状で形成され得る。例えば、第１曲線放熱部８２２bはS字状で形成され得る。
【０１６４】
そして、第１曲線放熱部８２２bは二つの放熱部８２２aの間に形成され得る。
【０１６５】
したがって、第１曲線放熱部８２２bの一方向と他方向にそれぞれ折り曲げられて形成された折り曲げ領域のうち、いずれか一つの領域にはヒートシンクガイド部材４９０が結合し、他の領域には第４締結部材５０が配置され得る。
【０１６６】
図２５に示された通り、第４締結部材５０の終端はヒートシンク締結溝４９１と締結し、第４締結部材５０のヘッドは第１曲線放熱部８２２bの一側を加圧して、ハウジング４００とヒートシンク８００とが締結されるようにする。
【０１６７】
図２４および図２６を参照すると、第３放熱板８２３は板状の放熱部８２３aと第２曲線放熱部８２３bを含むことができる。
【０１６８】
図２４に示された通り、第２曲線放熱部８２３bは、ヒートシンク本体８１０の円周方向を基準として、一方向に折り曲げられた形状で形成され得る。そして、第２曲線放熱部８２３bは二つの放熱部８２３aの間に形成され得る。
【０１６９】
この時、第２曲線放熱部８２３bは所定の曲率(R１)で形成され得る。
【０１７０】
所定の曲率(R１)を有する二つの第３放熱板８２３によってワークスペース８４０が形成され得る。
【０１７１】
図２６に示された通り、同一の曲率(R１)上に二つの第２曲線放熱部８２３bが配置されてワークスペース８４０を形成することができる。
【０１７２】
そして、ワークスペース８４０を通じて締結用工具であるスクリュードライバー(Screw Driver)が挿入され得る。
【０１７３】
第４放熱板８３０は、図２４〜図２６に示された通り、第１放熱板８２１、第２放熱板８２２および第３放熱板８２３のそれぞれの終端に配置され得る。
【０１７４】
第４放熱板８３０は所定の曲率(R２)で形成され得る。
【０１７５】
所定の曲率(R２)で形成された第４放熱板８３０は、第１放熱板８２１、第２放熱板８２２および第３放熱板８２３のそれぞれの終端を仕上げ処理することによって、使用者の傷害可能性を最小化する。また、第１放熱板８２１、第２放熱板８２２および第３放熱板８２３のそれぞれの終端に第４放熱板８３０を配置して放熱面積を広げることによってヒートシンク８００の放熱性能を向上させることができる。
【０１７６】
一方、第１放熱板８２１、第２放熱板８２２、第３放熱板８２３の終端を丸い(round)形態で仕上げて使用者の傷害可能性を最小化することもできる。
【０１７７】
前記ヒートシンク８００において、ヒートシンク８００のヒートシンク本体８１０、放熱板８２０および第４放熱板８３０は一体に形成され得るが、これに限定されない。
【０１７８】
図２５に示された通り、前記照明装置１のハウジング４００とヒートシンク８００の間には熱伝導層９００がさらに配置され得る。例えば、熱伝導層９００として、サーマルグリス、サーマルパッドなどを利用することもある。
【０１７９】
一方、図２６および図２７を参照すると、本発明の一実施形態に係る照明装置１はフレーム４に配置されてダウンライトによる照明を具現することもできる。
【０１８０】
図２７に示された通り、フレーム４は前記照明装置１との結合のためにマウンティング段差溝４５４と結合するガイド突出部５を含むことができる。
【０１８１】
そして、ガイド突出部５は終端に形成されたガイド突出部溝６を含むことができる。
【０１８２】
フレーム４に前記照明装置１を設置する時、ガイド突出部溝６はマウンティングホール４５２と連通するように配置される。
【０１８３】
それにより、マウンティングホール４５２を貫通してガイド突出部溝６に結合する第５締結部材６０を利用して前記照明装置１はフレーム４に固定設置される。
【０１８４】
この時、ワークスペース８４０を通じて挿入される前記スクリュードライバーを利用して第５締結部材６０の端部は、マウンティングホール４５２と連通するように配置されたガイド突出部溝６に締結され得る。
【０１８５】
前記では本発明の実施形態を参照して説明したが、該当技術分野の通常の知識を有した者は下記の特許請求の範囲に記載された本発明の思想および領域から逸脱しない範囲内で、本発明を多様に修正および変更できることが理解されるであろう。そして、このような修正と変更に関係した差異点は添付された特許請求の範囲で規定する本発明の範囲に含まれるものと解釈されるべきである。
【符号の説明】
【０１８６】
１:照明装置
２:天井面
３:トリム
４:フレーム
１００:光源モジュール
２００:ホルダー
３００:リフレクター
４００:ハウジング
５００:サーマルパッド
６００:ワイヤブッシュ
７００:カバー
８００:ヒートシンク
９００:熱伝導層
【図１】
0006781553.tif 000002
【図２】
0006781553.tif 000003
【図３】
0006781553.tif 000004
【図４】
0006781553.tif 000005
【図５】
0006781553.tif 000006
【図６】
0006781553.tif 000007
【図７】
0006781553.tif 000008
【図８】
0006781553.tif 000009
【図９】
0006781553.tif 000010
【図１０】
0006781553.tif 000011
【図１１】
0006781553.tif 000012
【図１２】
0006781553.tif 000013
【図１３】
0006781553.tif 000014
【図１４】
0006781553.tif 000015
【図１５】
0006781553.tif 000016
【図１６】
0006781553.tif 000017
【図１７】
0006781553.tif 000018
【図１８】
0006781553.tif 000019
【図１９】
0006781553.tif 000020
【図２０】
0006781553.tif 000021
【図２１】
0006781553.tif 000022
【図２２】
0006781553.tif 000023
【図２３】
0006781553.tif 000024
【図２４】
0006781553.tif 000025
【図２５】
0006781553.tif 000026
【図２６】
0006781553.tif 000027
【図２７】
0006781553.tif 000028